【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
現金自動取引装置が所定位置に固定されているか否かを検知する検知装置と、前記検知装置の検知信号により前記現金自動取引装置が所定位置から移動したか否かを判定する判定装置と、前記現金自動取引装置が移動したと判定された場合、前記判定装置から移動の判定信号で噴射装置を作動させる制御装置と、前記制御装置の信号により前記現金自動取引装置内に収納されている紙幣に対して紫外線遮断剤の噴射を実行する前記噴射装置と、を備えることを特徴とする紙幣盗難防止装置。
【請求項２】
現金輸送車に設けられたスイッチの操作に応じて噴射装置を作動させる制御装置と、前記制御装置の信号により前記現金輸送車内に収納されている紙幣に対して紫外線遮断剤の噴射を実行する前記噴射装置と、を備えることを特徴とする紙幣盗難防止装置。
【請求項３】
金庫が所定位置に固定されているか否かを検知する検知装置と、前記検知装置の検知信号により前記金庫が所定位置から移動したか否かを判定する判定装置と、前記金庫が移動したと判定された場合、前記判定装置から移動の判定信号で噴射装置を作動させる制御装置と、前記制御装置の信号により前記金庫内に収納されている紙幣に対して紫外線遮断剤の噴射を実行する前記噴射装置と、を備えることを特徴とする紙幣盗難防止装置。
【請求項４】
前記紫外線遮断剤に磁性剤および特殊蛍光塗料の少なくとも一方を混合して前記噴射を実行することを特徴とする請求項１ないし請求項３のいずれか１項に記載の紙幣盗難防止装置。
【手続補正２】
【補正対象書類名】明細書
【補正対象項目名】全文
【補正方法】変更
【補正の内容】
【発明の詳細な説明】
【発明の名称】紙幣盗難防止装置
【技術分野】
【０００１】          本発明は、現金自動取引装置内のカセットに、又は現金輸送車内の現金収納庫に、あるいは金庫に収納されている紙幣が盗難された場合、盗難紙幣と判別され、紙幣が使用出来なくなるために盗難防止となる紙幣盗難防止装置に関する。
【背景技術】
【０００２】          近年、盗んだショベルカー等の建設重機により深夜から未明に掛けて金融機関の現金自動取引装置等を襲撃して筐体ごと現金を強奪する、現金輸送車を襲撃して車ごと現金を強奪する又は商店等を襲撃して金庫ごと現金を強奪するという事件があり、事件の数は増加の一途をたどっている。そして、その多くの事件では犯人を検挙出来ていないという事実がある。【０００３】          被害の多くは深夜から明け方に集中しており、工事現場から重機を盗み、トラックで現場まで運搬し、犯行を行っているため、警察では建設業に関する団体に対して、現場での重機の管理を徹底するよう要請しているが、作業員がいなくなる深夜から未明にかけての間、現場での十分な管理は難しいのが現状である。【０００４】          そのため、これらの対策や努力にも拘わらず事件の再発を防止することができていない。【０００５】          そこで考えられた従来の自動現金取引装置（ＡＴＭ）には、盗難時に紙幣の一部分を切り欠くものがある（例えば、特許文献１参照。）。  また、従来の盗難防止装置には、異常事態を検知すると、現金に塗料を付着させるものもある（例えば、特許文献２参照。）。【０００６】          以下、従来の自動現金取引装置について説明する。紙幣収納ボックスの移動又は前記紙幣収納ボックスの破壊衝撃を感知センサで感知した感知信号に基づいて、紙幣の一部にマーキングを施すマーキング手段で紙幣の一部をカッティングする。  マーキング手段でカッティングされた紙幣にはマーキングが施される。【特許文献１】特許第３５０２７７９号  公報
【０００７】          又、別の従来の盗難防止装置について説明する。現金支払機（又は金庫等）の中に設置された異常検知装置が窃盗行為を検知すると着色装置が作動して、現金に塗料を付着させる。【特許文献２】特開２００４−２２７４４３号  公報
【発明の開示】
【発明が解決しようとする課題】
【０００８】          特許文献１の自動現金取引装置では、紙幣の一部分を切り欠くマーキングのみであった。【０００９】          紙幣が破れたり、燃えたりした場合には、表・裏両面があることを条件に、残っている面積を基準として新しい紙幣との引換えを行ってくれる、例えば、面積が３分の２以上の場合は全額、面積が５分の２以上、３分の２未満の場合は半額、このために従来の自動現金取引装置から盗んだ場合、マーキングの大きさにもよるが、紙幣面積の３分の１以上のマーキングを行う事が困難なために、盗んだ紙幣は紙幣表示金額の満額で引換えが出来、いずれにしても盗んだ金額より引換え金額が減少することはあるが、盗んだ紙幣の価値が無くなる事は無い。【００１０】          又、特許文献２の盗難防止装置では、現金に塗料を付着させるのみであった。【００１１】          紙幣に塗料が付着していても、紙幣が汚れていることが有っても、盗んだ紙幣とは一般の買物では発見出来ないし、塗料が付着した部分を破いて新しい紙幣と引換えられると盗難防止にはならない。【００１２】          いずれにしても、盗難防止を施した従来の自動現金取引装置の中に入れてある紙幣は盗まれて使用されているのが現状である。【００１３】          従って、本発明の目的は、現金自動取引装置内のカセットに、又は現金輸送車内の現金収納庫に、あるいは金庫に収納されている紙幣の盗難犯罪を防止し、盗難された場合には盗難された紙幣かを判別し、盗んだ紙幣を使用した場合に判別を容易にする抑止刑論に基づいた紙幣盗難防止装置を提供することにある。
【課題を解決するための手段】
【００１４】          そして、本発明は上記目的を達成するために、現金自動取引装置が所定位置に固定されているか否かを検知する検知装置と、前記検知装置の検知信号により前記現金自動取引装置が所定位置から移動したか否かを判定する判定装置と、前記現金自動取引装置が移動したと判定された場合、前記判定装置から移動の判定信号で噴射装置を作動させる制御装置と、前記制御装置の信号により前記現金自動取引装置内に収納されている紙幣に対して紫外線遮断剤の噴射を実行する前記噴射装置と、を備えることを特徴とする紙幣盗難防止装置である。【００１５】          第２の課題を解決するための手段は、現金輸送車に設けられたスイッチの操作に応じて噴射装置を作動させる制御装置と、前記制御装置の信号により前記現金輸送車内に収納されている紙幣に対して紫外線遮断剤の噴射を実行する前記噴射装置と、を備えることを特徴とする紙幣盗難防止装置である。【００１６】          第３の課題を解決するための手段は、金庫が所定位置に固定されているか否かを検知する検知装置と、前記検知装置の検知信号により前記金庫が所定位置から移動したか否かを判定する判定装置と、前記金庫が移動したと判定された場合、前記判定装置から移動の判定信号で噴射装置を作動させる制御装置と、前記制御装置の信号により前記金庫内に収納されている紙幣に対して紫外線遮断剤の噴射を実行する前記噴射装置と、を備えることを特徴とする紙幣盗難防止装置である。【００１７】前記紫外線遮断剤に磁性剤および特殊蛍光塗料の少なくとも一方を混合して前記噴射を実行するようにしてもよい。
【発明の効果】
【００１８】          上述したように本発明の紙幣盗難防止装置は、盗難にあった紙幣を店頭で使用した場合、まず、目視で特殊蛍光塗料の付着を見つけて、ブラックライトで紫外線を照射させれば印章（日本銀行総裁印）部分に紫外線遮断剤が付着してオレンジ色に光らないために盗難紙幣と判別ができる。【００１９】          銀行等の金融機関では、上記の効果に加え、盗難紙幣には磁性剤が噴射されているので磁性インクを使用してパターン印刷された紙幣は異なったパターンが現れるために紙幣判別装置でも盗難紙幣と判別できる。
【発明を実施するための最良の形態】
【００２０】所定位置に固定されている現金自動取引装置１が建設重機等により移動された場合、検知装置２が現金自動取引装置１の移動を検知して、判定装置３に移動信号を送信、判定装置３は移動信号を受けて現金自動取引装置１が移動との判定を行い、制御装置４に移動判定信号を送信、制御装置４は移動判定信号を受けて噴射装置５を作動させる。噴射装置５はボンベ６内に圧縮空気等と混合された紫外線遮断剤７を配管８で現金カッセト９内に収納されている紙幣に噴射させる。紫外線遮断剤７を噴射された紙幣はブラックライトで紫外線を照射しても印章（日本銀行総裁印）部分に紫外線遮断剤７が付着してオレンジ色に光らないために盗難紙幣と判別ができる。また地紋の一部も紫外線遮断剤７が付着して黄緑色に発光しないために盗難紙幣と判別ができる。【００２１】また、現金輸送車１０が襲撃された場合、運転者１１がスイッチ１２を押すと、制御装置４はスイッチ１２の入りの操作で噴射装置５を作動させる。噴射装置５はボンベ６内に圧縮空気等と混合された紫外線遮断剤７を配管８で現金収納庫１３内に収納されている紙幣に噴射させる。紫外線遮断剤７を噴射された紙幣はブラックライトで紫外線を照射しても印章（日本銀行総裁印）部分に紫外線遮断剤７が付着してオレンジ色に光らないために盗難紙幣と判別ができる。また地紋の一部も紫外線遮断剤７が付着して黄緑色に発光しないために盗難紙幣と判別ができる。【００２２】さらには、所定位置に固定されている金庫１４が移動された場合、検知装置２が金庫１４の移動を検知して、判定装置３に移動信号を送信、判定装置３は移動信号を受けて金庫１４が移動との判定を行い、制御装置４に移動判定信号を送信、制御装置４は移動判定信号を受けて噴射装置５を作動させる。噴射装置５はボンベ６内に圧縮空気等と混合された紫外線遮断剤７を配管８で現金カッセト９内に収納されている紙幣に噴射させる。紫外線遮断剤７を噴射された紙幣はブラックライトで紫外線を照射しても印章（日本銀行総裁印）部分に紫外線遮断剤７が付着してオレンジ色に光らないために盗難紙幣と判別ができる。また地紋の一部も紫外線遮断剤７が付着して黄緑色に発光しないために盗難紙幣と判別ができる。【００２３】なお、上記したような紫外線遮断剤７に加えて磁性剤と特殊蛍光塗料の混合剤を噴射させることができるために、紙幣は目視で特殊蛍光塗料の付着を見つけて、ブラックライトで紫外線を照射させれば印章（日本銀行総裁印）部分に紫外線遮断剤７が付着してオレンジ色に光らないために盗難紙幣と判別ができる。また地紋の一部も紫外線遮断剤７が付着して黄緑色に発光しないために盗難紙幣と判別ができる。さらに、磁性剤が噴射されているので磁性インクを使用してパターン印刷された紙幣は異なったパターンが現れるために紙幣判別装置で詳細に盗難紙幣と判別ができる。【００２４】          以下、本発明の実施の形態を、図１〜図３に基づいて説明する。【００２５】          図１において、建物壁１５に取付けられた固定検知器２Ａと現金自動取引装置１内に取付けられた移動検知器２Ｂで構成される検知装置２が備えられる。検知装置２は固定検知器２Ａと移動検知器２Ｂが離れた場合、現金自動取引装置１が建設重機���により移動されたことを検知して判定装置３に移動信号を送信、判定装置３は移動信号を受けて現金自動取引装置１が移動との判定を行い、制御装置４に移動判定信号を送信、制御装置４は移動判定信号を受けて噴射装置５を作動させる。噴射装置５はボンベ６内に圧縮空気等と磁性剤と特殊蛍光塗料と紫外線遮断剤７とが混合された混合剤を霧状で配管８を通り現金カッセト９内に収納されている紙幣に混合剤を噴射させる。【００２６】          図２において、現金輸送車１０の運転席内に設けられているスイッチ１２を運転者１１が押すと、制御装置４は噴射装置５を作動させる。噴射装置５はボンベ６内に圧縮空気等と磁性剤と特殊蛍光塗料と紫外線遮断剤７とが混合された混合剤を霧状で配管８を通り現金収納庫１３内に収納されている紙幣に混合剤を噴射させる。【００２７】          図３において、建物壁１５に取付けられた固定検知器２Ａと金庫１４内に取付けられた移動検知器２Ｂで構成される検知装置２が備えられる。検知装置２は固定検知器２Ａと移動検知器２Ｂが離れた場合、金庫１４が移動されたことを検知して判定装置３に移動信号を送信、判定装置３は移動信号を受けて金庫１４が移動との判定を行い、制御装置４に移動判定信号を送信、制御装置４は移動判定信号を受けて噴射装置５を作動させる。噴射装置５はボンベ６内に圧縮空気等と磁性剤と特殊蛍光塗料と紫外線遮断剤７とが混合された混合剤を霧状で配管８を通り現金カッセト９内に収納されている紙幣に混合剤を噴射させる。【００２８】          上述したように、現金自動取引装置１または金庫１４が移動されると、それぞれの現金カッセト９内に収納されている紙幣に紫外線遮断剤７と磁性剤と特殊蛍光塗料の混合剤を噴射させることができるために、紙幣は目視で特殊蛍光塗料の付着を見つけて、ブラックライトで紫外線を照射させれば印章（日本銀行総裁印）部分に紫外線遮断剤７が付着してオレンジ色に光らないために盗難紙幣と判別ができる。また地紋の一部も紫外線遮断剤７が付着して黄緑色に発光しないために盗難紙幣と判別ができる。さらに、磁性剤が噴射されているので磁性インクを使用してパターン印刷された紙幣は異なったパターンが現れるために紙幣判別装置で詳細に盗難紙幣と判別ができる。また、現金自動取引装置１または金庫１４の現金カッセト９内に収納されている紙幣を目的とした犯罪の防止になる。さらに、商店主が不審に思った場合、ブラックライトで紫外線を照射するという行為が通常に行われるようになれば、コピー機等で作成した偽札も当然印章（日本銀行総裁印）部分がオレンジ色に光らないために偽札と判別ができる。また地紋の一部も黄緑色に発光しないために偽札と判別ができ、本来の効果と異なる効果も期待できる。
【図面の簡単な説明】
【００２９】
【図１】本発明の紙幣盗難防止装置を現金自動取引装置に実施した一実施例の斜視図。
【図２】本発明の紙幣盗難防止装置を現金輸送車に実施した一実施例の側面図。
【図３】本発明の紙幣盗難防止装置を金庫に実施した一実施例の斜視図。
【符号の説明】
【００３０】１現金自動取引装置、２検知装置、２Ａ固定検知器、２Ｂ移動検知器、３判定装置、４制御装置、５噴射装置、６ボンベ、７紫外線遮断剤、８配管、９現金カッセト、１０現金輸送車、１１運転者、１２スイッチ、１３現金収納庫、１４金庫、１５建物壁